(57)【要約】選択的触媒還元（ＳＣＲ）システムは既知であり，一般的にはディーゼルエンジンの排出ガスを処理するためにディーゼルエンジンの排出系に含まれている。このようなシステムでは，典型的には，エンジンの排出通路内を流れる排出ガスにディーゼル排出流体（ＤＥＦ）を導入する。ＤＥＦ投与システムは，後処理システムの表面上における堆積形成を伴わずに放出することのできるＤＥＦの量により制約されている。ＤＥＦは，インパクション装置に対して，ＳＣＲシステムの特性セットに基づく第１の投与率で投与される。第２の特性セット（例えばＤＥＦのために利用可能蓄積容量）は，基準セット（例えばＤＥＦの分解率）に基づいて決定される。ＤＥＦ投与率は，第２の特性セットに基づいて，第２の投与率まで変化させる。その投与率を，第２の基準セット（例えばＤＥＦのために利用可能蓄積量の下側しきい値）が満足された後，第１の投与率まで復帰させる。【選択図】図３
2020514603.tif 000002
【特許請求の範囲】
【請求項１】
インパクション装置を備える触媒システムのための方法であって：
前記インパクション装置に対してディーゼル排出流体（ＤＥＦ）を，第１の特性セットに基づく第１の投与率で投与するステップ；
前記インパクション装置の第２の特性セットを，第１の基準セットに基づいて決定するステップ；
前記投与率を第２の特性セットに基づいて変化させるステップ；並びに，
前記投与率を第２の基準セットに基づいて第１の投与率まで復帰させるステップ；
を備える方法。
【請求項２】
請求項１に記載された方法であって，前記第２の特性セットが，前記インパクション装置の利用可能蓄積容量を含む，方法。
【請求項３】
請求項２に記載された方法であって，前記利用可能蓄積容量がしきい値に達したときに，前記投与率を変化させる，方法。
【請求項４】
請求項１〜３の何れか一項に記載された方法であって，前記第１の基準セットが，前記インパクション装置の利用可能蓄積容量，及び前記インパクション装置の表面上におけるＤＥＦの分解率を含む，方法。
【請求項５】
請求項４に記載された方法であって，前記ＤＥＦの分解率を，前記排出システムの状態に基づいて導き出す，方法。
【請求項６】
請求項１〜５の何れか一項に記載された方法であって，前記第２の投与率が，前記第１の投与率よりも大きい，方法。
【請求項７】
請求項１〜６の何れか一項に記載された方法であって，前記投与率を前記第２の投与率まで変化させるステップが，前記第１の基準セットに基づいて前記第２の投与率の値を決定するステップを含む，方法。
【請求項８】
請求項１〜７の何れか一項に記載された方法であって，前記投与率を前記第２の投与率まで変化させるステップが，前記インパクション装置にＤＥＦを前記第２の投与率で投与する時間を決定するステップを含む，方法。
【請求項９】
請求項１〜８の何れか一項に記載された方法であって，前記第２の基準セットが，前記インパクション装置の利用可能蓄積量の下限しきい値を含む，方法。
【請求項１０】
請求項１〜９の何れか一項に記載された方法であって，前記第１の特性セットが，前記インパクション装置の表面上におけるＤＥＦの有効残留時間を含む，方法。
【請求項１１】
請求項１０に記載された方法であって，前記第１の投与率を，ＤＥＦの前記有効残留時間が実質的にゼロとなるように設定する，方法。
【請求項１２】
請求項１〜１１の何れか一項に記載された方法であって，前記第１の特性セットが：前記インパクション装置の表面上におけるＤＥＦの分解率；前記排出ガスの温度；及び，前記排出ガスの流速；の少なくとも１つを含む，方法。
【請求項１３】
請求項１〜１２の何れか一項に記載された方法であって，前記インパクション装置が，加水分解触媒である，方法。
【請求項１４】
排出通路内で排出ガスを処理するための選択的触媒還元システムであって：
インパクション装置；
インパクション装置にＤＥＦを噴射するためのＤＥＦ投与ユニット；並びに，
請求項１〜１３の何れか一項に記載された方法を実施するためのコントローラ；
を備える，システム。
【請求項１５】
請求項１〜１３の何れか一項に記載された方法を実施するために，エンジンにより読み取り可能な１つ又は複数のシーケンスを含むコンピュータプログラム製品。
【発明の詳細な説明】
【技術分野】
【０００１】
本発明は，ディーゼルエンジンの排出ガスを処理するための選択的触媒還元（ＳＣＲ）システムに関する。特に，本発明は，ＳＣＲシステムの効率を改善させるための方法に関する。
【０００２】
選択的触媒還元（ＳＣＲ）システムは既知であり，一般的にディーゼルエンジンの排出系に含まれて該エンジンの排出ガス処理に供されている。このようなシステムは，エンジンの排出通路内を流れる排出ガスにディーゼル排出流体（ＤＥＦ）を導入するものである。ＤＥＦは尿素を含み，その尿素は排出通路内で加水分解及び熱分解することによりアンモニアを生成する。アンモニアはＳＣＲ触媒を通過し，その間に排出ガスと反応する。この場合，排出ガスに含まれる窒素酸化物（ＮＯｘ）は，排出系から大気中に放出される前に窒素に変換される。
【０００３】
排出通路内にＤＥＦを投与する多くのＳＣＲシステムが提案されている。このようなシステムは，ときには「ウェット・スプレー」とも称されており，水性尿素のスプレーを排出ガス中に噴射して分解させることによりアンモニアを生成するものである。かかるシステムの一例は，特許文献１：米国特許出願公開第２００８／３０７９６７号明細書に開示されている。特許文献１は，ＤＥＦが主排出通路の外側に配置された供給通路内で加水分解される配置を記載している。特に，ＤＥＦは加水分解触媒に投与され，アンモニアに加水分解される。そのアンモニアはＳＣＲ触媒の入口まで下流側に流れ，ここで反応してＮＯｘを還元させる。一般的に，ＳＣＲシステムにより行われる既知の制御プロセス，例えば特許文献１に開示されるプロセスは，ＮＯｘをアンモニアにより還元させるべき場合に，ＤＥＦを加水分解リアクタに投与するものである。
【０００４】
ＳＣＲシステムにおけるインパクション装置（雇えば加水分解触媒）にＤＥＦを投与する場合，ＤＥＦは，ある条件下ではインパクション装置を冷却して尿素の熱分解，これに引き続くイソシアン酸の加水分解，並びにアンモニア及びイソシアン酸の脱離を減速させ，又は実質的に阻止する。このアンモニア放出量の抑制は，インパクション装置の機能にラグ又は遅延を生じさせる。これにより，ＳＣＲ触媒におけるアンモニア蓄積量に対して作用させ得る制御量や，ＮＯｘ変換が制限される。更に，減速又は阻止された尿素の熱分解により排出通路内における尿素堆積が生じ，例えば排出ガス入口温度が上昇した場合におけるアンモニア・スリップに際して，未反応の尿素又はアンモニアが未処理状態のまま排出通路から排出される可能性がある。
【０００５】
堆積の形成を防止するため，インパクション装置に対するＤＥＦ投与率は，典型的には，所与の排出条件におけるＤＥＦ分解率以下（「定常状態」，「安全」又は「安定」投与率とも称される）となるように設定される。しかしながら，「安全」投与率の使用はインパクション装置のＤＥＦ蓄積容量を完全に活用するものではなく，これによりアンモニアの生成を実質的に制約する。
【０００６】
本発明の課題は，少なくとも，上述した欠点のいくつかに対処することである。
【先行技術文献】
【特許文献】
【０００７】
【特許文献１】米国特許出願公開第２００８／３０７９６７号明細書
【発明の概要】
【０００８】
第１の態様において，本発明は，加水分解触媒を備える選択的触媒還元システムのための方法を提供する。この方法は：
前記インパクション装置に対してディーゼル排出流体（ＤＥＦ）を，第１の特性セットに基づく第１の投与率で投与するステップ；
前記インパクション装置の第２の特性セットを，第１の基準セットに基づいて決定するステップ；
前記投与率を第２の特性セットに基づいて変化させるステップ；並びに，
前記投与率を第２の基準セットに基づいて第１の投与率まで復帰させるステップ；
を備える。
【０００９】
第２の態様において，本発明は，排出通路内で排出ガスを処理するための選択的触媒還元システムを提供する。このシステムは：
インパクション装置；
インパクション装置にＤＥＦを噴射するためのＤＥＦ投与ユニット；並びに，
請求項１〜１３の何れか一項に記載された方法を実施するためのコントローラ；
を備える。
【００１０】
第３の態様において，本発明は，上述した方法を実施するために，エンジンにより読み取り可能な１つ又は複数のシーケンスを含むコンピュータプログラム製品を提供する。
【００１１】
本発明の更なる態様，特徴及び利点，並びに本発明の各種実施形態の構造及び機能は，添付図面を参照して以下に詳述する通りである。本発明が本明細書に記載する特定の実施形態に限定されるものでないことに留意されたい。そのような実施形態は，あくまでも例示にために開示されるものである。付加的な実施形態は，本明細書の教示に基づいて当業者にとって自明である。
【図面の簡単な説明】
【００１２】
以下，本発明の実施形態を，単なる例示として，添付図面を参照しながら記載する。なお，対応する参照符号は，対応する構成要素を表している。
【図１】選択的触媒還元システムを示す概略図である。
【図２】本発明の一実施形態に係る例示的方法のフローチャートである。
【図３】図２に示す方法のグラフである。
【発明を実施するための形態】
【００１３】
本発明の特定の実施形態について詳細に説明するに先立ち，本発明を適用し得る環境を例示しておくことが有益である。
【００１４】
図１は，例示的な選択的触媒還元（ＳＣＲ）システム１０を示す。このシステムは，車両のエンジン（図示せず）からの排出ガスを搬出する排出通路１２内に配置される。初めに，排出ガスは既知形式のディーゼル酸化触媒（ＤＯＣ，図示せず）を通過し，この触媒は，その触媒作用により排出ガス中の炭化水素，一酸化窒素及び一酸化炭素の酸化反応を生じさせて二酸化炭素，二酸化窒素及び水を生成する。
【００１５】
ＤＯＣの下流側にはディーゼル排出流体（ＤＥＦ）投与ユニット１６が配置され，これは，排出通路１２内でインパクション装置（例えば加水分解触媒）１８にＤＥＦを投与するように構成されている。ＤＥＦ投与ユニット及びインパクション装置は，いずれも既知形式のものである。インパクション装置の下流側にはＳＣＲ触媒２０が配置され，これも既知形式のものである。システムは付加的な構成要素，例えばアンモニア・スリップ触媒を備えることができる。
【００１６】
システムはコントローラ２６を備え，このコントローラは，ＤＥＦ投与ユニットがＤＥＦを加水分解触媒に投与する投与率を制御するように構成されている。
【００１７】
システムは，コントローラに接続される複数のセンサを更に含む。特に，インパクション装置の上流側には窒素酸化物（ＮＯｘ）センサ２８及び入口温度センサ３０が配置されている。インパクション装置及びＳＣＲ触媒の間に出口温度センサ３２及びアンモニアセンサ３４が配置されている。上記のセンサは，もっぱら例示として列挙したものであり，システムは付加的又は代替的なセンサを備えることもできる。これら各種のセンサは，コントローラに設けられている１つ以上の入力及び／又は出力に接続することができる。作動の間，コントローラは，部分的にはシステムにおける種々のセンサから受信した測定データに基づいてＤＥＦ投与率を調整する。
【００１８】
触媒システムは，単一のコントローラ２６のみを有する構成として記載したが，原則的には複数の相互接続されたコントローラを使用することも可能である。代替的に，コントローラは，複数の個別的なサブコントローラ２６ａ，２６ｂを備えることができる。各サブコントローラは，特定の操作を行うことができる。例えば，第１のサブコントローラ２６ａはＳＣＲ触媒２０の性能に関連する操作を行うことができ，第２のサブコントローラ２６ｂは，加水分解触媒１８の性能に関連する操作を行うことができる。
【００１９】
通常作動の間，ＤＥＦの投与率は，１つ又は複数の要件に適合するように制御する。そのような要件の１つは，典型的には，加水分解触媒がＤＥＦで飽和することを回避することである。これは，触媒上におけるＤＥＦの堆積につながりかねず，触媒システムの機能及び／又は効率を低下させかねない点で望ましくないからである。従って，ＤＥＦ投与率は，典型的には，加水分解触媒の表面上におけるＤＥＦの有効残留時間が実質的にゼロとなるように選択する。有効残留時間は，加水分解触媒の表面上におけるＤＥＦ分解率と，ＤＥＦ投与率との差として定義される。効残留時間がゼロであれば，ＤＥＦ分解率はＤＥＦ投与率と同一である。
【００２０】
ＤＥＦ分解率は，触媒システム内における作動条件に依存する。更に，触媒システム内における作動条件は，触媒システムが装着されるエンジンの作動条件（例えばエンジン負荷）に依存する。
【００２１】
作動の間，触媒システムの動的作動条件により，ＤＥＦ分解率を精密に決定数ｒことは困難であり得る。従って，ＤＥＦ投与率は，典型的には，あるレベルの不確実性を許容するように選択される。典型的に，「安全」投与率（「定常状態」又は「安定」投与率とも称される）は，投与時間が任意の時点においてＤＥＦ分解率よりも小さくなるように選択される。しかしながら，これにより加水分解触媒の飽和が回避されても，そのような「安全」投与率の適用は，加水分解触媒の容量を完全に活用するものではない。
【００２２】
作動の間の計算負荷を低下させるため，ＤＥＦ投与率の選択は，典型的には，コントローラに蓄積されているルックアップ・テーブルを使用して行われる。ルックアップ・テーブルにおけるＤＥＦ投与率は，任意数の適当なパラメータ（例えば，排出ガス温度，排出ガス流速）の関数であり得る。
【００２３】
本明細書に開示される実施例において，もっぱら明確性及び説明の簡略化のために，エンジン負荷は一定であるものと，すなわちが一定であるものと仮定する。これは単に例示目的のためであり，実際には，エンジン負荷は通常作動の間，多くの要因に応じて変化する。同様に，エンジン負荷の変化に応じてＤＥＦ投与率も変化する。
【産業上の利用可能性】
【００２４】
次に，図１に示す触媒システムにおいて実施し得る例示的方法につき，図２及び図３を参照して説明する。
【００２５】
この例示的方法は，図１に示すコントローラの何れか，又は両者において実施することができる。インパクション装置が加水分解触媒である実施例において，例示的な方法は，加水分解触媒コントローラにおいて実施する。他の実施例において，例示的な方法は，ＳＣＲ触媒コントローラにおいて実施する。簡潔性のため，以下では１つのコントローラについて言及する。これは，システムに含まれるコントローラのうち，任意の，又は数個のコントローラに当てはまるものである。
【００２６】
第１ステップ２０１において，インパクション装置にＤＥＦを，第１の特性セットに基づいて第１の投与率で投与する。これは更に図３に示すとおりであり，同図は，投与率３０２と，インパクション装置３０４の完全蓄積容量の一部としての利用可能蓄積容量の例示的なグラフである。投与率及び利用可能蓄積容量は，何れも時間（Ｘ軸３０６により示される）の関数として示されている。
【００２７】
上述した第１の投与率（水平線３０８で示す）を決定するため，インパクション装置の任意の適当な特性を使用することができる。一実施例において，第１の特性セットは，排出システムの状態（例えば排出温度又は排出流速）を代表する１つ又は複数のパラメータを含む。他の実施例において，第１の特性セットは，インパクション装置の表面上におけるＤＥＦの有効残留時間（すなわち，ＤＥＦ投与時間とＤＥＦ分解時間の差）を含む。
【００２８】
特定の実施例において，第１のＤＥＦ投与率は，インパクション装置の表面上におけるＤＥＦの有効残留時間が実質的にゼロとなるように選択する。換言すれば，ＤＥＦ投与率は，触媒システムが装着されるエンジンの通常作動の間におけるＤＥＦ分解率と実質的に同一のレベルに設定する。有効残留時間を実質的にゼロに維持すれば，より詳細に上述したようにＤＥＦ体積の形成を防止することができる。有効残留時間が実質的にゼロであるため，インパクション装置は，利用可能蓄積容量３１０が実質的に一定となる。他の実施例において，第１のＤＥＦ投与率は，ＤＥＦ分解率よりも小さくなるように選択することができる。
【００２９】
図３では，ＤＥＦ投与率及び利用可能蓄積容量が一定として示されているが，これは単なる例示に過ぎず，本発明方法の原理を説明するためのものである。エンジンの通常作動の間（例えば，重荷重用車両における場合），その作動条件が動的に変化することは容易に理解し得るところである。従って，ＤＥＦ投与率は実際には変化することがある。
【００３０】
第１の特性セットは，任意の様式で具体化することができる。いくつかの実施例において，第１の特性セットは，コントローラに保存されたルックアップ・テーブルとして構成することができる。１つ又は数個の特定因子（例えば，排出システムに配置された１つ又は複数のセンサからのセンサ入力）に基づき，ルックアップ・テーブルにおける特定のエントリーを選択することができる。他の実施例において，第１の特性セットは，コントローラにより導き出すことができる。第１の特性セットは，連続的又は設定間隔で導き出すことができる。
【００３１】
第２ステップ２０２において，インパクション装置の第２の特性セットを第１の基準セットに基づいて決定する。第２の特性セットは，任意の適当な時点で，又は適当な回数で決定することができる。いくつかの実施例において，第２の特性セットを連続的に決定する。他の実施例において，第２の特性セットは特定の間隔で決定する。これは，コントローラハードウェアにおける所与の制約を考慮すれば実用的な措置である。
【００３２】
第２の特性セットは，インパクション装置の適当な特性（単数又は複数）を代表することができる。一実施例において，第２の特性セットは，インパクション装置の表面上においてＤＥＦを蓄積するための利用可能蓄積容量を含む。第１のＤＥＦ投与率がインパクション装置の飽和を回避するように選択されるため，通常の状況下では，利用可能蓄積容量はゼロとなる。
【００３３】
第２の特性セットは，任意の適当な数の基準に基づき，任意の適当な態様で決定することができる。一実施例において，第１の基準セットは，排出システムの特定の状態におけるＤＥＦ分解率，及びインパクション装置の初期蓄積容量を含む。典型的に，初期蓄積容量は，インパクション装置の完全蓄積容量３１２，すなわち不使用時におけるインパクション装置の蓄積容量と等しい。第１の基準セットが単なる例示であり，原則として，第１の基準セットが特定の付加的又は代替的な基準を含み得ることは，言うまでもない。いくつかの実施例において，第１の基準セットは，付加的又は代替的に，かつ，限定されるものではないが：ＤＥＦ投与率；予測内部温度；インパクション装置の瞬時蓄積容量（これは第１の特性セットに基づいて連続的に評価可能）；の１つ又は複数を含む。
【００３４】
ＤＥＦ分解率は，任意の適当な態様で決定することができる。例えば，ＤＥＦ分解率は，第１の特性セットについて上述したと同様に，コントローラに組み込まれたルックアップ・テーブルとして具体化することができる。代替的に，特定の分解率をシステムの作動の間に動的に，又は特定の間隔で決定することができる。
【００３５】
初期蓄積容量は，適当な態様で決定することができる。一実施例において，初期蓄積容量は，コントローラにおけるメモリに予め定められたパラメータとして保存することができる。特定の実施例において，初期蓄積容量は，触媒システムの試行又は試験の間に決定した後，コントローラにおけるメモリに保存することができる。
【００３６】
第３ステップ２０３において，ＤＥＦ投与率は，第２の特性セットに基づいて第２の投与率まで変化させる。いくつかの実施例において，投与率は，第２の特性セットのうちの少なくとも１つの特性が特定の要件に適合する場合に変化させる（例えば，投与率は，利用可能蓄積容量がしきい値に達したときに第２の投与率まで変化させる）。
【００３７】
第２の投与率は，任意の適当な値とすることができ，任意の態様で選択することができる。いくつかの実施例において，第２の投与率は予め定められた値，例えばシステムの可能な最大投与率，又は可能な最大投与率の固定された割合に設定することができる。他の実施例において，第２の投与率の値は，適当な態様で決定することができる。一実施例において，投与率を変化させるステップは，第２の投与率の値を第１の基準セットに基づいて決定するステップを含む。
【００３８】
一実施例において，第２の投与率は第１の投与率よりも大きく，ＤＥＦ分解率よりも大きい。従って，インパクション装置に第２の投与率で投与する間に，利用可能蓄積容量の値は減少３１６する。
【００３９】
ある実施例において，第２の投与率に加えて，インパクション装置に第２の投与率で投与する投与時間を決定する。  特定の実施例において，投与率を第２の投与率まで変化させるステップは，インパクション装置に第２の投与率で投与する投与時間を決定するステップを更に含む。
【００４０】
第２の投与率及び投与時間は互いに相関し，所与の状況下で使用される特定の値は状況因子に従属する。例えば，ある状況下では，インパクション装置を可及的に短時間で充満させるのが望ましいことがある。そのような状況下では，第２の投与率を可及的に高く設定し，投与時間を可及的に短く設定する。別の状況下では，投与時間をより長く設定し，第２の投与率をより低く設定するのが有利又は好適であり得る。
【００４１】
第４ステップ２０４において，第２の基準セットが満たされた後，投与率を第１の投与率まで復帰させる。第２の基準セットは，任意の態様で規定することができる。一実施例において，第２の基準セットは，インパクション装置の表面上における利用可能ＤＥＦ蓄積容量の下限しきい値を含む。下限しきい値に達したときに，投与率を第１の投与率まで復帰させる。特定の実施例において，下限しきい値は，ゼロの利用可能蓄積容量として設定する。他の実施例において，下限しきい値は，１％，５％，１０％又は２０％とする。上述した値は単なる例示であり，任意の適当な値を選択することができる。他の実施例において，第２の基準セットは，インパクション装置に第２の投与率で投与する投与時間を含む。投与時間が満了した後，投与率を第１の投与率まで復帰させる。
【００４２】
投与率が第１の投与率まで復帰すると，第２の量の利用可能蓄積容量３１８が投与時間の最後に到達したレベルで開始し，インパクション装置に第２の投与率で投与する。第２の量の利用可能蓄積容量３１８は，いくつかの実施例において，一定レベルを維持する。他の実施例において，第２の量の利用可能蓄積容量３１８は，投与率が第１の投与率まで復帰した後に変化させる。いくつかの実施例において，利用可能蓄積容量は増加させる。特定の実施例において，第２の量の利用可能蓄積容量３１８は，インパクション装置に第２の投与率で投与する前における利用可能蓄積容量３１０と類似又は同一とする。第２の量の利用可能蓄積容量は多くの因子に従属し，これには（限定されるものではないが）：第１の投与率；利用可能蓄積容量の値；第２の量の利用可能蓄積容量；又は環境因子；が含まれる。
【００４３】
以上の記載は，単なる例示を目的としており，限定的なものではない。すなわち，以下に記載する本発明の技術的範囲を逸脱することなく，本発明に修正を加え得ることは，当業者には明白である。
【図１】
2020514603.tif 000003
【図２】
2020514603.tif 000004
【図３】
2020514603.tif 000005
【国際調査報告】
2020514603.tif 000006
2020514603.tif 000007
2020514603.tif 000008